(57)【要約】【課題】容易に作成可能であり、かつ標準的なＷｅｂブラウザで閲覧可能なメッセージコンテンツの作成技術を提供する。【解決手段】携帯電話１で作成されたテキストデータＴｘＤおよび３Ｄオーサリング指示データＤＤをサーバ３に送信する。サーバ３では、これらに基づいて３Ｄフォントを制御して独自形式の動画像データを生成し、さらに当該動画像データをＭＰＥＧ４形式に圧縮変換して３Ｄ文字メールＭＤとして蓄積する。携帯電話１から携帯電話２に、３Ｄ文字メールの所在を示すアクセスパス情報ＡＤを含む電子メールＥＭが送信されると、携帯電話２では、これに基づいて３Ｄ文字メールＭＤをサーバ３からダウンロードし、ブラウザ２４により再生表示する。【選択図】図１
2010027060.tif 000002
【特許請求の範囲】
【請求項１】
第１端末において作成された電子メールを第２端末において再生するシステムであって、
前記第１端末は、
３Ｄフォントを蓄積する手段と、
入力されたテキストメッセージを前記３Ｄフォントを用いて表現するための指示情報を生成する手段と、
前記指示情報に基づいて前記テキストメッセージを表現する動画像を生成する手段と、
前記動画像を所定の形式に圧縮変換して３Ｄ文字メールを生成する手段と、
前記３Ｄ文字メールをサーバに送信する手段と、
を備え、
前記指示情報は前記３Ｄフォントの動きをテンプレートを用いて指示する情報を含み、
前記サーバは、
前記３Ｄ文字メールを蓄積する手段、
を備え、
前記第１端末は、さらに、
前記サーバに蓄積された前記３Ｄ文字メールに対するアクセスパス情報を前記第２端末に送信する手段、
を備え、
前記第２端末は、
前記第１端末から受信した前記アクセスパス情報に基づいて前記サーバにアクセスし、前記３Ｄ文字メールをダウンロードして、またはストリーミング再生によって再生表示する手段を備え、
前記第１及び第２端末は携帯電話を含む、
３Ｄ文字メールシステム。
【請求項２】
第１端末において作成された電子メールを第２端末において再生するシステムであって、
前記第１端末は、
３Ｄフォントを蓄積する手段と、
入力されたテキストメッセージを前記３Ｄフォントを用いて表現するための指示情報を生成する手段と、
前記指示情報に基づいて前記テキストメッセージを表現する動画像を生成する手段と、
前記動画像を所定の形式に圧縮変換して３Ｄ文字メールを生成する手段と、
前記３Ｄ文字メールを前記第２端末に送信する手段と、
を備え、
前記指示情報は前記３Ｄフォントの動きをテンプレートを用いて指示する情報を含み、
前記第２端末は、
前記第１端末から受信した前記３Ｄ文字メールを再生表示する手段を備え、
前記第１及び第２端末は携帯電話を含む、
３Ｄ文字メールシステム。
【請求項３】
請求項１または請求項２に記載の３Ｄ文字メールシステムであって、
前記第１端末は、さらに、
自端末に着脱自在な記憶媒体、
を備え、
前記３Ｄフォントは前記記憶媒体に蓄積されることを特徴とする３Ｄ文字メールシステム。
【請求項４】
請求項３に記載の３Ｄ文字メールシステムであって、
前記記憶媒体には、前記テンプレート用のデータが蓄積されていることを特徴とする３Ｄ文字メールシステム。
【発明の詳細な説明】
【技術分野】
【０００１】
本発明は、電子メールのコンテンツ作成および送信技術に関する。
【背景技術】
【０００２】
携帯電話を利用した電子メールは、時間と場所を選ぶことなく手軽にメッセージを交換できるというメリットがある。そして、携帯電話を利用した電子メールでは、テキスト文字に加えて、表現力を高めることを目的とした絵文字などの利用が行われている。また、携帯電話の高機能化に伴い、静止画像や動画像を含んだメッセージ交換を行うことも可能となっている。
【０００３】
携帯電話を利用した電子メールでは、様々な手法により表現力を高める試みがなされている。例えば、下記非特許文献１では、文字が移動する動的なメッセージを交換することが可能な携帯電話が紹介されている。
【０００４】
また、下記非特許文献２では、電子メールのコンテンツとして２Ｄ（２次元）のアニメーションを利用することにより、３次元的なコンテンツを表現することを可能としている。
【先行技術文献】
【非特許文献】
【０００５】
【非特許文献１】http://www.sonyericsson.co.jp/product/docomo/so505i/planet.html
【非特許文献２】http://www.incredimai.com
【発明の概要】
【発明が解決しようとする課題】
【０００６】
携帯電話を利用した電子メールでは、さらにメッセージに対する表現力の多様性が求められている。携帯電話がコミュニケーション手段の一つとして大きな役割を担う中で、電子メールの有する表現力を強化することの意義は大きい。
【０００７】
上記非特許文献１，２では、視覚的には３次元的な表現力を有する文字を用いた文字メールを交換することを可能としているが、文字に予め設定された動きしか与えることができず、利用者の作成するコンテンツは類似したものとなってしまい、個性を表現することが困難であるという欠点がある。
【０００８】
また、作成したコンテンツは、専用のソフトウェアプログラムを利用しなければ閲覧できないという問題がある。
【０００９】
そこで、この発明の課題は、利用者が容易に個性表現可能な３Ｄ文字メールの作成機能を実現すると共に、作成したコンテンツを携帯電話に搭載される標準的なソフトウェアプログラムを利用して容易に閲覧可能な技術を提供することにある。
【課題を解決するための手段】
【００１０】
請求項１に記載の発明は、第１端末において作成された電子メールを第２端末において再生するシステムであって、前記第１端末は、３Ｄフォントを蓄積する手段と、入力されたテキストメッセージを前記３Ｄフォントを用いて表現するための指示情報を生成する手段と、前記指示情報に基づいて前記テキストメッセージを表現する動画像を生成する手段と、前記動画像を所定の形式に圧縮変換して３Ｄ文字メールを生成する手段と、前記３Ｄ文字メールをサーバに送信する手段と、を備え、前記指示情報は前記３Ｄフォントの動きをテンプレートを用いて指示する情報を含み、前記サーバは、前記３Ｄ文字メールを蓄積する手段、を備え、前記第１端末は、さらに、前記サーバに蓄積された前記３Ｄ文字メールに対するアクセスパス情報を前記第２端末に送信する手段、を備え、前記第２端末は、前記第１端末から受信した前記アクセスパス情報に基づいて前記サーバにアクセスし、前記３Ｄ文字メールをダウンロードして、またはストリーミング再生によって再生表示する手段を備え、前記第１及び第２端末は携帯電話を含む、ものである。
【００１１】
請求項２に記載の発明は、第１端末において作成された電子メールを第２端末において再生するシステムであって、前記第１端末は、３Ｄフォントを蓄積する手段と、入力されたテキストメッセージを前記３Ｄフォントを用いて表現するための指示情報を生成する手段と、前記指示情報に基づいて前記テキストメッセージを表現する動画像を生成する手段と、前記動画像を所定の形式に圧縮変換して３Ｄ文字メールを生成する手段と、前記３Ｄ文字メールを前記第２端末に送信する手段と、を備え、前記指示情報は前記３Ｄフォントの動きをテンプレートを用いて指示する情報を含み、前記第２端末は、前記第１端末から受信した前記３Ｄ文字メールを再生表示する手段を備え、前記第１及び第２端末は携帯電話を含む、ものである。
【００１２】
請求項３に記載の発明は、請求項１または請求項２に記載の３Ｄ文字メールシステムであって、前記第１端末は、さらに、自端末に着脱自在な記憶媒体、を備え、前記３Ｄフォントは前記記憶媒体に蓄積されることを特徴とするものである。
【００１３】
請求項４に記載の発明は、請求項３に記載の３Ｄ文字メールシステムであって、前記記憶媒体には、前記テンプレート用のデータが蓄積されていることを特徴とするものである。
【発明の効果】
【００１４】
請求項１に記載の発明によれば、テキストメッセージと指示情報を入力するだけで、３Ｄフォントを利用した個性豊かな３Ｄ文字メールを生成し、これを再生端末に標準的に装備されているソフトウェアプログラムで再生表示することができる。また、３Ｄ文字メールをサーバを介して送受信するため、第２端末では容量の大きい３Ｄ文字メールの受信を拒否することも可能である。
【００１５】
請求項２に記載の発明によれば、テキストメッセージと指示情報を入力するだけで、３Ｄフォントを利用した個性豊かな３Ｄ文字メールを生成し、これを再生端末に標準的に装備されているソフトウェアプログラムで再生表示することができる。また、サーバを必要としない為、システムの構成が簡略化できるという効果がある。
【００１６】
請求項３または請求項４に記載の発明によれば、３Ｄフォントやテンプレートデータを着脱自在な記憶媒体に備えることで、端末とは別に供給することが可能である。
【図面の簡単な説明】
【００１７】
【図１】この発明の第１の実施の形態および第２の実施の形態に係る３Ｄ文字メールシステムを示す図である。
【図２】この発明の第３の実施の形態に係る３Ｄ文字メールシステムを示す図である。
【図３】この発明の第４の実施の形態に係る３Ｄ文字メールシステムを示す図である。
【図４】この発明の実施の形態に係る３Ｄ文字メールの再生状態を示す図である。
【発明を実施するための形態】
【００１８】
まず、本発明を説明するために必要な文言を定義する。この明細書において、「３Ｄフォント」とは、文字を３次元の立体構造で表すモデルデータである。このモデルデータに、制御情報を与えることによって、その形態や動作を決定する。
【００１９】
また、「テキストメッセージ」とは、「３Ｄ文字メール」の元となる文字データであって、日本語、外国語などの文字のほか、数字、記号、絵文字などが含まれる。すなわち、あらかじめシステムにおいて特定のコードが与えられ、キー入力操作などによって電子メールの本文に入力可能な情報伝達データは全て含まれる。
【００２０】
本発明の「３Ｄ文字メールシステム」は、「テキストメッセージ」で用いられる文字に対して「３Ｄフォント」を用い、これに制御情報を与えて変形させたり動かしたりすることで、３次元グラフィックスによる動画映像を生成し、これを所定の形式に圧縮変換して標準のソフトウェアプログラムで再生可能な「３Ｄ文字メール」を生成する。
【００２１】
ここで、「３Ｄ文字メール」の表示イメージの一例を図４に示す。図は、試験に合格した旨の３Ｄ文字メールを示している。まず、画面（ａ）は、「やったー」という３Ｄ文字が画面右横から時計回りに回転しながら出現する様子を示している。画面（ｂ）は、「やったー」という３Ｄ文字が画面上部に移動している状態を示している。画面（ｃ）は、「合格」という文字が画面中央に追加表示されるとともに、「しました」という３Ｄ文字が画面右横から出現し、時計回りに移動する様子を示している。そして、画面（ｄ）は、「しました」という３Ｄ文字が画面下部に移動して表示される様子を示している。また、画面（ｃ）から画面（ｄ）へ推移するにつれて「しました」という３Ｄ文字の形状が変化（モーフィング）している。
【００２２】
｛第１の実施の形態｝
以下、図面を参照しつつ本発明の実施の形態について説明する。図１は、本発明の第１の実施の形態に係る３Ｄ文字メールシステムを示す図である。図１の如く、３Ｄ文字メールシステムは、２つの携帯電話１，２とサーバ３とを備えている。携帯電話１，２は、いずれも音声通話機能に加えて、データ通信機能を備えている。従って、携帯電話１，２は、他の携帯電話との間で電子メールを交換することが可能である。サーバ３は、携帯電話のデータ通信ネットワーク上に接続されていてもよいし、そのデータ通信ネットワークに接続されたインターネット等の他のネットワークに接続されてもよい。
【００２３】
以下において、携帯電話１が、３Ｄ文字メールの作成側端末であり、携帯電話２が３Ｄ文字メールの再生側端末であるとして説明する。したがって、携帯電話１については３Ｄ文字メールを作成、送信するときの動作について説明し、携帯電話２については３Ｄメールを受信、再生するときの動作について説明する。
【００２４】
携帯電話１，２は、図に示すように、それぞれ操作部１１，２１、モニタ１２，２２、メール部１３，２３およびブラウザ１４，２４をそれぞれ備えている。
【００２５】
操作部１１，２１は、各種ボタンから構成されており、携帯電話１，２の利用者は、この操作部１１，２１を操作することにより、電子メールのメッセージ入力操作を行うことが可能である。また、電子メールの送信指示や受信表示指示など、携帯電話１，２に対する各種の動作指示を行うことも可能である。
【００２６】
モニタ１２，２２は、入力したメッセージや相手端末から受信した電子メールや３Ｄ文字メールの内容を再生表示するために利用する。
【００２７】
メール部１３，２３は、電子メールを作成する機能や作成された電子メールを相手端末に送信する機能、相手端末から送信された電子メールを受信する機能等を備えている。
【００２８】
ブラウザ１４，２４は、インターネット等のネットワークに接続し、３Ｄ文字メールに関するデータを取得したり、取得したデータを再生表示するために利用する。所定の圧縮方式の動画像データである３Ｄ文字メールは、その圧縮方式の動画像を再生可能なソフトウェアプログラムを利用してブラウザ１４，２４上で再生表示される。具体的には、例えばＭＰＥＧ４等の汎用的な圧縮方式を利用すれば、これを再生可能なソフトウェアプログラムはブラウザ１４，２４等と共に端末に標準的に搭載されている。そして、当該ソフトウェアプログラムをプラグインソフトウェアとしてブラウザ１４，２４上で利用することで動画像データである３Ｄ文字メールを再生表示する。尚、本実施の形態ではブラウザ１４，２４を利用するが、３Ｄ文字メールの再生方法はこれに限らず、当該３Ｄ文字メールの圧縮方式に対応するソフトウェアプログラムが再生プレイヤーとして単独で動作する態様であっても構わない。
【００２９】
携帯電話１は、さらに３Ｄオーサリング指示部１５を備えている。この実施の形態においては、携帯電話１は３Ｄフォントを自端末に保有していない。したがって、携帯電話１は、自端末で３Ｄグラフィックスを生成することは行わず、３Ｄオーサリング指示部１５によって、サーバ３に対して３Ｄグラフィックスである３Ｄ文字メールの生成指示を行うのである。
【００３０】
携帯電話２は、メール部２３によるメールの送受信機能、ブラウザ２４を利用したサーバ３からのデータのダウンロード機能、およびＭＰＥＧ４等の所定の圧縮方式で圧縮された動画像の閲覧機能、を有する一般的な携帯電話である。
【００３１】
サーバ３は、ハードディスク等の記憶装置に、３ＤフォントセットＦＳおよびテンプレートシナリオデータＴＳＤを蓄積している。サーバ３は、複数種類の３ＤフォントセットＦＳを備えており、これにより様々なタイプの３Ｄ文字メールを生成することが可能である。テンプレートシナリオデータＴＳＤは、３Ｄ文字メールのスタイルを決定するデータである。３Ｄ文字メールの作成者は、３ＤフォントセットＦＳの種類（つまりフォントタイプ）、３Ｄフォントの変形（モーフィング）情報、３Ｄフォントの拡大縮小率などを個別に設定することが可能であるが、このテンプレートシナリオデータＴＳＤを利用することで、あるテーマやモチーフに基づいて容易に３Ｄ文字メールのスタイルを指定することが可能である。例えば、「喜び編」という題名のテンプレートシナリオデータＴＳＤを利用すれば、明るく楽しい雰囲気の３Ｄ文字メールを作成することができ、「落ち込み編」という題名のテンプレートシナリオデータＴＳＤを利用すれば、元気を無くしている雰囲気を演出した３Ｄ文字メールを作成することができる。
【００３２】
また、サーバ３は、３Ｄオーサリング部３１と動画像変換部３２を備えている。携帯電話１の３Ｄオーサリング指示部１５より、オーサリング指示データＤＤが送信されると、３Ｄオーサリング部３１は、これに含まれる、３ＤフォントセットＦＳの種類（つまりフォントタイプ）、３Ｄフォントの動き（移動、回転、速度等）、３Ｄフォントの色、３Ｄフォントの変形（モーフィング）情報、３Ｄフォントの拡大縮小率等の指示情報を含むシナリオデータを生成する。そして、このシナリオデータに基づいて独自形式の動画像データである３Ｄ文字メールを生成する。ここで、携帯電話１の３Ｄオーサリング指示部１５より受信したオーサリング指示データＤＤにテンプレートシナリオデータＴＳＤを利用する指示が含まれていた場合には、シナリオデータとして、テンプレートシナリオデータＴＳＤが利用される。生成された独自形式の動画像データである３Ｄ文字メールは、動画像変換部３２によって、ＭＰＥＧ４などの所定の圧縮方式に従って圧縮変換され、サーバ３の備えるハードディスク等の記憶装置に格納される。
【００３３】
さらに、サーバ３はｗｗｗサーバ３３としての機能を有し、格納した３Ｄ文字メールにアクセスするためのアクセスパス情報ＡＤを携帯電話１に送信することができる。
【００３４】
次に、３Ｄ文字メールの作成から再生までの処理の流れについて説明する。
【００３５】
まず、携帯電話１において、利用者が操作部１１を操作してテキストデータＴｘＤを入力する。さらに、利用者は各テキスト文字について３Ｄオーサリング指示を行う。具体的には、各テキスト文字について、どの３Ｄフォントを使用するのか、速度や方向を含め３Ｄフォントをどのように移動、回転させるのか、３Ｄフォントの色は何色にするのか、３Ｄフォントをどのように変形（モーフィング）させるのか、３Ｄフォントをどのような大きさ（拡大縮小率）で表示させるのかといった設定操作を行う。この設定操作によって作成される情報をオーサリング指示データＤＤと呼ぶ。また、利用者は、テンプレートを利用することが可能である。例えば、前述した「喜び編」や「落ち込み編」といったテンプレートシナリオデータＴＳＤを選択すれば、容易にオーサリング指示を行うことが可能である。テンプレートを利用する場合には、その情報がオーサリング指示データＤＤに含まれる。
【００３６】
以上の操作が行われると、３Ｄオーサリング指示部１５は、入力されたテキストデータＴｘＤとオーサリング指示データＤＤとをサーバ３に送信する。
【００３７】
次に、サーバ３では、３Ｄオーサリング部３１が、テキストデータＴｘＤとオーサリング指示データＤＤとを受信し、３Ｄフォントを制御するための情報としてシナリオデータを生成し、さらにこれに基づいて独自形式の動画像データである３Ｄ文字メールを生成する。
【００３８】
次に、動画像変換部３２が、３Ｄオーサリング部３１が生成した３Ｄ文字メールに、所定の圧縮変換処理を施し、ＭＰＥＧ４形式の動画像データである３Ｄ文字メールＭＤを生成する。そして、サーバ３は、生成された３Ｄ文字メールＭＤをハードディスク等の記憶装置内に一時記憶すると共に、これを携帯電話１にも送信する。
【００３９】
則ち、利用者からの簡単な指示のみを受けると、３Ｄフォントを利用した複雑な３Ｄグラフィックスから成る動画像を独自形式で生成し、これをＭＰＥＧ４形式等の汎用性の高い動画像形式に変換し、利用者はこのＭＰＥＧ４形式の３Ｄ文字メールＭＤを閲覧することになる。
【００４０】
携帯電話１では、受信した３Ｄ文字メールＭＤが、ブラウザ１４によってモニタ１２上に再生表示される。これにより、携帯電話１の利用者は、３Ｄ文字メールＭＤの送信前に、その再生状態を事前確認し、必要があれば修正を加えることが可能である。修正が必要であれば、利用者は、修正したテキストデータＴｘＤや３Ｄオーサリング指示データＤＤをサーバ３に再度送信し、上述した動作を繰り返して修正した３Ｄ文字メールＭＤを生成する。
【００４１】
３Ｄ文字メールＭＤに問題がなく修正が不要であれば、利用者は、サーバ３に登録指示データＲＤを送信して３Ｄ文字メールＭＤの登録操作を行う。
【００４２】
サーバ３では、登録指示データＲＤを受信すると、一時記憶していた３Ｄ文字メールＭＤを、携帯電話１，２からアクセス可能な状態でハードディスク等の記憶装置内の所定のディレクトリに格納する。そして、この３Ｄ文字メールＭＤに対するアクセスパス（ＵＲＬ）をアクセスパス情報ＡＤとして携帯電話１に送信する。
【００４３】
携帯電話１では、アクセスパス情報ＡＤを受信すると、メール部１３により、この情報を含む電子メールＥＭが生成される。利用者は、生成された電子メールＥＭの送信先を指定して、これを携帯電話２に送信する。
【００４４】
携帯電話２では、メール部２３が電子メールＥＭを受信すると、利用者がブラウザ２４を利用し、電子メールＥＭに含まれるアクセスパス情報ＡＤに記述されているＵＲＬに基づいてＷＷＷサーバ３３にアクセスする。そして、ＭＰＥＧ４形式の動画像データである３Ｄ文字メールＭＤをダウンロードし、あるいはストリーミング再生によって、３Ｄ文字メールＭＤをモニタ２２に再生表示する。
【００４５】
このようにして、携帯電話２では、携帯電話１で作成指示された３Ｄ文字メールＭＤをサーバ３を介して取得し、再生表示することが可能である。
【００４６】
本実施の形態によれば、サーバ３を利用することにより、携帯電話１は、３ＤフォントセットＦＳやテンプレートシナリオデータＴＳＤなどのデータを自端末に保有する必要がなく、動画像の生成や圧縮変換といった負荷の高い処理を行う必要もない。
【００４７】
また、サーバ３を利用することにより、携帯電話２の利用者は、３Ｄ文字メールＭＤのダウンロードと閲覧を行うか否かを決定することができる。例えば、電子メールＥＭを受信して３Ｄ文字メールＭＤが生成されたことを認識した携帯電話２の利用者は、サーバ３からの３Ｄ文字メールＭＤのダウンロードに対する通信料金等の課金や、自端末の動画像データの再生表示に係る処理能力等から、３Ｄ文字メールＭＤの閲覧を希望しない場合、ＷＷＷサーバ３３への接続と３Ｄ文字メールＭＤのダウンロードを行わないことも可能となる。
【００４８】
さらに、個性ある３Ｄ文字メールの作成を比較的容易に行うことができる。例えば、２Ｄアニメーション技術を利用して３次元的なコンテンツを表現することは可能であるが、この場合には文字に予め設定された動きしか与えることができず、利用者の作成するコンテンツは類似したものとなってしまい、個性を表現することが困難となる。しかし、本発明では、３Ｄフォントとその動きや変形等を規定するオーサリング指示データのみの指定で、３Ｄオーサリング部３１が３Ｄグラフィックスを生成するため、利用者は、３Ｄフォントを意図するままに動作、変形させて個性ある３Ｄ文字メールを生成することが可能である。
【００４９】
そして、生成された３Ｄ文字メールは、一般的な圧縮方式であるＭＥＰＧ４等の形式に変換して利用するため、汎用性が高くファイル容量も小さくて済む。そのため、サーバ４から３Ｄ文字メールを受信するときも通信にかかる負荷が小さく、受信した３Ｄ文字メールをブラウザを利用して容易に再生表示することも可能である。
【００５０】
｛第２の実施の形態｝
第１の実施の形態では、携帯電話２の利用者は、携帯電話１からの指示に従って作成された３Ｄ文字メールＭＤを、サーバ３を介して取得し閲覧するが、本実施の形態では、３Ｄ文字メールを携帯電話１から直接受信する点のみが異なる。
【００５１】
携帯電話１，２およびサーバ３を利用する構成は第１の実施の形態で図１に示したのと同様である。また、携帯電話１，２およびサーバ３の各機能も第１の実施の形態と同様であるため説明を省略する。以下、第１の実施の形態と異なる動作を中心に説明する。
【００５２】
まず、携帯電話１で、テキストデータＴｘＤと３Ｄオーサリング指示データＤＤを入力設定する。
【００５３】
次に、携帯電話１のオーサリング指示部１５からテキストデータＴｘＤおよびオーサリング指示データＤＤがサーバ３へ送信されると、サーバ３の３Ｄオーサリング部３１では３Ｄフォントを制御するための情報としてシナリオデータを生成し、さらにこれに基づいて独自形式の動画像データである３Ｄ文字メールを生成する。次に、動画像変換部３２が、３Ｄオーサリング部３１が生成した３Ｄ文字メールに、所定の圧縮変換処理を施し、ＭＰＥＧ４形式の動画像データである３Ｄ文字メールＭＤを生成する。そして、サーバ３は、生成された３Ｄ文字メールＭＤを携帯電話１に送信する。携帯電話１では、ブラウザ１４によって、受信した３Ｄ文字メールＭＤをモニタ１２上に再生表示して確認し、必要により３Ｄ文字メールの修正を行う。
【００５４】
ここまでは、第１の実施の形態で上述した動作と同様である。しかし、本実施の形態では、３Ｄ文字メールＭＤが完成した後、これをサーバ３を介さず、携帯電話１から携帯電話２に直接送信する。そして、３Ｄ文字メールＭＤを受信した携帯電話２の利用者は、これをブラウザ２４を利用してモニタ２２上に再生表示するのである。
【００５５】
本実施の形態では、第１の実施の形態のように３Ｄ文字メールＭＤのサーバ３への登録動作を行わず、直接携帯電話１，２間で送受信するため、３Ｄ文字メールＭＤの完成から、携帯電話２での再生表示までの手順が簡略化される。すなわち、携帯電話１では、３Ｄ文字メールＭＤの完成後に、この３Ｄ文字メールＭＤのサーバ３への登録、サーバ３からのアクセスパス情報ＡＤの受信、アクセスパス情報ＡＤを含む電子メールＥＭの作成、作成した電子メールＥＭの携帯電話２への送信といった動作が不要となり、３Ｄ文字メールＭＤを携帯電話２に送信するだけでよい。また、携帯電話２でも、電子メールＥＭの受信、電子メールＥＭに含まれるアクセスパス情報ＡＤに基づくサーバ３への接続、サーバ３からの３Ｄ文字メールＭＤの受信、受信した３Ｄ文字メールＭＤの表示といった動作が不要となり、受信した３Ｄ文字メールＭＤを再生表示するだけでよい。さらに、サーバ３では、３Ｄ文字メールＭＤの一時記憶やＷＷＷサーバ３３としての動作が不要となり、携帯電話１からの指示を受けて３Ｄ文字メールの生成のみを行えばよいため全体としての処理にかかる負荷が軽減される。
【００５６】
｛第３の実施の形態｝
図２は、この発明の第３の実施の形態に係る３Ｄ文字メールシステムを示す図である。本実施の形態では、３Ｄ文字メールＭＤの生成を携帯電話１で行うため、３ＤフォントセットＦＳやテンプレートシナリオデータＴＳＤを携帯電話１側に備える点が第１の実施の形態と異なる。以下、第１の実施の形態と異なる機能部および動作内容を中心に説明する。
【００５７】
携帯電話１は、端末本体に着脱可能な記憶媒体１８に対するインターフェース１７を備えており、記憶媒体１８に格納された各種データへのアクセスが可能である。記憶媒体１８としては、例えばカード型やスティック型のＲＯＭやフラッシュメモリなどが利用可能である。また、携帯電話１は、自端末内で３Ｄ文字メールＭＤを生成するため、３Ｄオーサリング部１８および動画像変換部１６を備えている。一方、サーバ３は、３Ｄ文字メールＭＤを生成しないため、３ＤフォントセットＦＳおよびテンプレートシナリオデータＴＳＤを保有する必要はなく、３Ｄオーサリング部３１および動画像変換部３２を備える必要もない。
【００５８】
次に、３Ｄ文字メールＭＤの作成から再生までの処理の流れについて説明する。
【００５９】
まず、携帯電話１において、利用者が操作部１１を操作してテキストデータＴｘＤを入力する。さらに、利用者は各テキスト文字について３Ｄオーサリング指示を行う。具体的には、各テキスト文字について、どの３Ｄフォントを使用するのか、速度や方向を含め３Ｄフォントをどのように移動、回転させるのか、３Ｄフォントの色は何色にするのか、３Ｄフォントをどのように変形（モーフィング）させるのか、３Ｄフォントをどのような大きさ（拡大縮小率）で表示させるのかといった設定操作を行う。この設定操作によって作成される情報をオーサリング指示データＤＤと呼ぶ。また、利用者は、テンプレートを利用することが可能である。例えば、前述した「喜び編」や「落ち込み編」といったテンプレートシナリオデータＴＳＤを選択すれば、容易にオーサリング指示を行うことが可能である。テンプレートを利用した場合には、その情報がオーサリング指示データＤＤに含まれる。
【００６０】
以上の操作が行われると、３Ｄオーサリング指示部１５は、入力されたテキストデータＴｘＤとオーサリング指示データＤＤとを３Ｄオーサリング部１８に引き渡す。
【００６１】
次に、３Ｄオーサリング部１８が、テキストデータＴｘＤとオーサリング指示データＤＤとに基づいて３Ｄフォントを制御するための情報としてシナリオデータを生成し、さらにこれに基づいて独自形式の動画像データである３Ｄ文字メールを生成する。
【００６２】
次に、動画像変換部１６が、３Ｄオーサリング部１８が生成した３Ｄ文字メールに、所定の圧縮変換処理を施し、ＭＰＥＧ４形式の動画像データである３Ｄ文字メールＭＤを生成する。
【００６３】
生成された３Ｄ文字メールＭＤは、ブラウザ１４によってモニタ１２上に再生表示される。これにより、携帯電話１の利用者は、３Ｄ文字メールＭＤの送信前に、その再生状態を事前確認し、必要があれば修正を加えることが可能である。修正が必要であれば、利用者は、修正したテキストデータＴｘＤや３Ｄオーサリング指示データＤＤを再設定し、上述した動作を繰り返して修正した３Ｄ文字メールＭＤを生成する。
【００６４】
３Ｄ文字メールＭＤに問題がなく修正が不要であれば、利用者は、生成した３Ｄ文字メールＭＤおよび登録指示データＲＤをサーバ３に送信し、登録操作を行う。
【００６５】
サーバ３では、登録指示データＲＤを受信すると、同時に受信した３Ｄ文字メールＭＤを、携帯電話１，２からアクセス可能な状態でハードディスク等の記憶装置内の所定のディレクトリに格納する。そして、この３Ｄ文字メールＭＤに対するアクセスパス（ＵＲＬ）をアクセスパス情報ＡＤとして携帯電話１に送信する。
【００６６】
携帯電話１では、アクセスパス情報ＡＤを受信すると、メール部１３により、この情報を含む電子メールＥＭが生成される。利用者は、生成された電子メールＥＭの送信先を指定して、これを携帯電話２に送信する。
【００６７】
携帯電話２では、メール部２３が電子メールＥＭを受信すると、利用者が、ブラウザ２４を利用し、電子メールＥＭに含まれるアクセスパス情報ＡＤに記述されているＵＲＬに基づいてＷＷＷサーバ３３にアクセスする。そして、ＭＰＥＧ４形式の動画像データである３Ｄ文字メールＭＤをダウンロードし、あるいはストリーミング再生によって、３Ｄ文字メールＭＤをモニタ２２に再生表示する。
【００６８】
このようにして、携帯電話２では携帯電話１で作成された３Ｄ文字メールＭＤをサーバ３を介して取得し、再生表示することが可能である。
【００６９】
本実施の形態によれば、サーバ３を利用することにより、携帯電話２の利用者は、３Ｄ文字メールＭＤのダウンロードと閲覧を行うか否かを決定することができる。例えば、電子メールＥＭを受信して３Ｄ文字メールＭＤが生成されたことを認識した携帯電話２の利用者は、サーバ３からの３Ｄ文字メールＭＤのダウンロードに対する通信料金等の課金や、自端末の動画像データの再生表示に係る処理能力等から、３Ｄ文字メールＭＤの閲覧を希望しない場合、ＷＷＷサーバ３３への接続と３Ｄ文字メールＭＤのダウンロードを行わないことも可能となる。
【００７０】
また、個性ある３Ｄ文字メールの作成を比較的容易に行うことができる。例えば、２Ｄアニメーション技術を利用して３次元的なコンテンツを表現することは可能であるが、この場合には文字に予め設定された動きしか与えることができず、利用者の作成するコンテンツは類似したものとなってしまい、個性を表現することが困難となる。しかし、本発明では、３Ｄフォントと、その動きや変形等を規定するオーサリング指示データのみの指定で、３Ｄオーサリング部１８が３Ｄグラフィックスを生成するため、利用者は、３Ｄフォントを意図するままに動作、変形させて個性ある３Ｄ文字メールを生成することが可能である。
【００７１】
そして、生成された３Ｄ文字メールは、一般的な圧縮方式であるＭＥＰＧ４等の形式に変換して利用するため、汎用性が高くファイル容量も小さくて済む。そのため、３Ｄ文字メールを受信するときも通信にかかる負荷が小さく、受信した３Ｄ文字メールをブラウザを利用して容易に再生表示することも可能である。
【００７２】
｛第４の実施の形態｝
図３は、この発明の第４の実施の形態に係る３Ｄ文字メールシステムを示す図である。本実施の形態では、携帯電話２の利用者が、３Ｄ文字メールを携帯電話１から直接受信する点のみが第３の実施の形態と異なる。
【００７３】
本実施の形態における３Ｄ文字メールシステムは、図３に示すように、サーバを持たず携帯電話１，２のみで構成される。携帯電話１，２の各機能は、第３の実施の形態と同様であるため説明を省略する。以下、第３の実施の形態と異なる動作を中心に説明する。
【００７４】
まず、携帯電話１で、テキストデータＴｘＤと３Ｄオーサリング指示データＤＤを入力設定する。
【００７５】
次に、携帯電話１のオーサリング指示部１５および３Ｄオーサリング部１８によって、３Ｄフォントを制御するための情報としてシナリオデータが生成され、さらにこれに基づいて独自形式の動画像データである３Ｄ文字メールが生成される。次に、動画像変換部１６が、３Ｄオーサリング部１８が生成した３Ｄ文字メールに、所定の圧縮変換処理を施し、ＭＰＥＧ４形式の動画像データである３Ｄ文字メールＭＤを生成する。携帯電話１では、ブラウザ１４によって、生成した３Ｄ文字メールＭＤをモニタ１２上に再生表示して確認し、必要により３Ｄ文字メールの修正を行う。
【００７６】
ここまでは、第３の実施の形態で上述した動作と同様である。しかし、本実施の形態では、３Ｄ文字メールＭＤが完成した後、これをサーバ３を介さず、電子メールに添付する等して携帯電話１に直接送信する。そして、３Ｄ文字メールＭＤを受信した携帯電話２の利用者は、これをブラウザ２４を利用してモニタ２２上に再生表示するのである。
【００７７】
本実施の形態では、全ての処理を携帯電話１，２で行うため、サーバ３を必要としない。そのため、システムの構成が簡略化され、システムの構築や維持にかかるコストを低減できるという効果がある。
【００７８】
｛変形例｝
上記各実施の形態においては、携帯電話の電子メールを利用して３Ｄ文字メールを交換するシステムとして説明したが、本発明は、携帯電話に限らず、コンピュータ装置を利用する態様であっても構わない。そして、電子メールの他、インスタントメッセンジャー等のメッセージ交換機能を有するソフトウェアプログラムに適用することも可能である。例えば、上記各実施の形態における携帯電話１，２をそれぞれコンピュータ装置に置き換え、その上で動作するインスタントメッセンジャー等のメッセージ交換機能を有するソフトウェアプログラムにおいて３Ｄ文字メールを交換する態様であってもよい。
【００７９】
また、実施の形態１，３において、受信側の携帯電話２がサーバ３にアクセスする際には、ＷＷＷサーバ３３およびブラウザ２４を利用することとしたが、サーバ３にアクセスする方法はこれに限らず、サーバ３からデータを取得できれば、ＦＴＰサーバとＦＴＰクライアントプログラムなど、他のプロトコルを利用するものであっても構わない。
【００８０】
さらに、３Ｄ文字メールの圧縮方式はＭＰＥＧ４に限らず、携帯電話等において、ブラウザ等の標準的に搭載されるソフトウェアプログラムを利用して再生表示可能な汎用的な動画形式であれば他の圧縮方式を利用しても構わない。
【符号の説明】
【００８１】
１  携帯電話
２  携帯電話
３  サーバ
１４，２４  ブラウザ
１５  ３Ｄオーサリング指示部
１８，３１  ３Ｄオーサリング部
１６，３２  動画像変換部
ＦＳ  ３Ｄフォントセット
ＴＳＤ  テンプレートシナリオデータ
ＭＤ  ３Ｄ文字メール
【図１】
2010027060.tif 000003
【図２】
2010027060.tif 000004
【図３】
2010027060.tif 000005
【図４】
2010027060.tif 000006